(57)【要約】【課題】塩素が除去され、かつ、収容された固形剤からの混入物が均一化された水を生成することが可能となる、機能水生成装置を提供する。【解決手段】機能水生成装置１は、水が流れる流路４と、その流路４の上流側から下流側に向かって順に、水に含まれる塩素を除去する塩素除去剤２と、水と反応してその水に混入物を付与する固形剤３が収容される固形剤収容部５と、下流側に旋回流を形成する旋回流形成体１８、および／または、前記混入物を含む水の流れを絞る絞り流路１２ｂとを、備える。【選択図】  図１
2016087599.tif 000002
【特許請求の範囲】
【請求項１】
機能水を生成する機能水生成装置であって、
水が流れる流路と、その流路の上流側から下流側に向かって順に、前記水に含まれる塩素を除去する塩素除去剤と、前記水と反応してその水に混入物を付与する固形剤が収容される固形剤収容部と、下流側に旋回流を形成する旋回流形成体、および／または、前記混入物を含む水の流れを絞る絞り流路とを、備える、機能水生成装置。
【請求項２】
前記固形剤は、粉末茶または茶葉を固めた固形剤からなる、請求項１に記載の機能水生成装置。
【請求項３】
前記固形剤は、水と反応して炭酸ガスのバブルを発生する固形発泡剤からなる、請求項１に記載の機能水生成装置。
【請求項４】
内部が前記流路を形成する、上流側の第１構成体と下流側の第２構成体とを備え、
前記第１構成体と前記第２構成体とは、互いに着脱可能に組み付けられて、内部に、互いに連通して前記流路を構成する連通空間を有し、
前記連通空間には、前記塩素除去剤を有するとともに前記固形剤収容部を備えるカートリッジが、着脱可能に挿入される、請求項１ないし３のいずれか１項に記載の機能水生成装置。
【請求項５】
前記第１構成体と前記第２構成体とを分離したとき、前記カートリッジは、前記第１構成体側に支持されて、前記固形剤収容部に設けられる固形剤挿入口が露出する、請求項４に記載の機能水生成装置。
【請求項６】
前記流路には、前記塩素除去剤を有する浄水カートリッジが、着脱可能に挿入され、前記固形剤収容部は、前記浄水カートリッジとは別体となって設けられる、請求項１ないし３のいずれか１項に記載の機能水生成装置。
【請求項７】
内部が前記流路を構成する本体と、前記固形剤収容部を有するケース体とを備え、
前記ケース体は、基部と、その基部から延出して前記本体に挿入される延出部とを備え、
前記延出部の周面に、前記固形剤収容部に対し前記固形剤を挿入するための固形剤挿入口が設けられ、
前記ケース体は、前記本体に対し前記延出部が挿入される挿入位置と、前記固形剤挿入口が露出するとともに前記延出部がその一部を残して引き出される引出し位置とに、移動可能に形成され、
前記本体と前記ケース体とには、前記挿入位置にて、前記延出部が引き出されないように係合する挿入位置係合手段が設けられ、かつ、前記引出し位置にて、前記延出部がそれ以上抜け出さないよう係合する引出し位置係合手段が設けられる、請求項６に記載の機能水生成装置。
【請求項８】
前記固形剤収容部は、前記流路を形成する路壁の内側に、その路壁とは隙間を有するように配置されて、前記水は、前記固形剤収容部内を通る水と、前記隙間を通る水とに分かれて流れる、請求項１ないし７のいずれか１項に記載の機能水生成装置。
【請求項９】
前記機能水生成装置は、シャワーヘッドに備わる、請求項１ないし８のいずれか１項に記載の機能水生成装置。
【発明の詳細な説明】
【技術分野】
【０００１】
この発明は、固形剤を用いて機能水を生成する機能水生成装置に関するものである。
【背景技術】
【０００２】
従来、水を吐出させるノズルの内部に、固形剤を収容したノズルがあった（例えば、特許文献１参照）。このノズルは、図２８に示すように、水の流入部４１と、絞り孔４２と、外部の空気を導入する空気導入部４３と、固形剤４４ａが配置された固形剤配置部４４と、水が流出する下流側端部の開口４５とを備えていた。すなわち、流入部４１から流入した水は、絞り孔４２を通ることで流速が増加し、その流速が増加した水に、空気導入部４３からの空気が混入することで、その水が、気泡混入水となった。そして、その気泡混入水は、一部が固形剤配置部４４内の固形剤４４ａと接触することで、その固形剤４４ａが溶解した溶液となって下流側端部の開口４５から吐出した。
【先行技術文献】
【特許文献】
【０００３】
【特許文献１】特開２０１３−１２６６５２号公報
【発明の概要】
【発明が解決しようとする課題】
【０００４】
ところで、前記従来のノズルにあっては、水に固形剤４４ａを溶解させることはできたが、その溶解して水に混入する混入物を均一化する機能とか、浄水機能とかは、備えていなかった。
【０００５】
この発明は、上記した従来の欠点を解決するためになされたものであり、その目的とするところは、塩素が除去され、かつ、収容された固形剤からの混入物が均一化された水を生成することが可能となる、機能水生成装置を提供することにある。
【課題を解決するための手段】
【０００６】
この発明に係る機能水生成装置は、前記目的を達成するために、次の構成からなる。すなわち、
請求項１に記載の発明に係る機能水生成装置は、機能水を生成する機能水生成装置であって、水が流れる流路と、その流路の上流側から下流側に向かって順に、前記水に含まれる塩素を除去する塩素除去剤と、前記水と反応してその水に混入物を付与する固形剤が収容される固形剤収容部と、下流側に旋回流を形成する旋回流形成体、および／または、前記混入物を含む水の流れを絞る絞り流路とを、備える。
【０００７】
この機能水生成装置によると、固形剤収容部には、水と反応してその水に混入物を付与する固形剤が収容される。そこで、水は、流路を流れる過程で、塩素除去剤により塩素が除去され、固形剤と接して混入物を含む水となり、旋回流形成体または絞り流路により、水に含まれる混入物が均一化される。ここで、塩素除去剤が、固形剤収容部よりも上流側に位置することで、混入物を含む前の水が塩素除去剤と接触することとなり、その水に含まれる塩素が効果的に除去される。
【０００８】
また、請求項２に記載の発明に係る機能水生成装置は、請求項１に記載の機能水生成装置において、前記固形剤は、粉末茶または茶葉を固めた固形剤からなる。
【０００９】
また、請求項３に記載の発明に係る機能水生成装置は、請求項１に記載の機能水生成装置において、前記固形剤は、水と反応して炭酸ガスのバブルを発生する固形発泡剤からなる。
【００１０】
また、請求項４に記載の発明に係る機能水生成装置は、請求項１ないし３のいずれか１項に記載の機能水生成装置において、内部が前記流路を形成する、上流側の第１構成体と下流側の第２構成体とを備える。ここで、前記第１構成体と前記第２構成体とは、互いに着脱可能に組み付けられて、内部に、互いに連通して前記流路を構成する連通空間を有する。そして、前記連通空間には、前記塩素除去剤を有するとともに前記固形剤収容部を備えるカートリッジが、着脱可能に挿入される。
【００１１】
また、請求項５に記載の発明に係る機能水生成装置は、請求項４に記載の機能水生成装置において、前記第１構成体と前記第２構成体とを分離したとき、前記カートリッジは、前記第１構成体側に支持されて、前記固形剤収容部に設けられる固形剤挿入口が露出する。こうして、第１構成体と第２構成体とを分離したとき、固形剤収容部における固形剤挿入口が露出することで、その固形剤挿入口から固形剤収容部内に固形剤を容易に挿入することができる。
【００１２】
また、請求項６に記載の発明に係る機能水生成装置は、請求項１ないし３のいずれか１項に記載の機能水生成装置において、前記流路には、前記塩素除去剤を有する浄水カートリッジが、着脱可能に挿入され、前記固形剤収容部は、前記浄水カートリッジとは別体となって設けられる。
【００１３】
また、請求項７に記載の発明に係る機能水生成装置は、請求項６に記載の機能水生成装置において、内部が前記流路を構成する本体と、前記固形剤収容部を有するケース体とを備える。前記ケース体は、基部と、その基部から延出して前記本体に挿入される延出部とを備える。そして、前記延出部の周面に、前記固形剤収容部に対し前記固形剤を挿入するための固形剤挿入口が設けられる。そこで、前記ケース体は、前記本体に対し前記延出部が挿入される挿入位置と、前記固形剤挿入口が露出するとともに前記延出部がその一部を残して引き出される引出し位置とに、移動可能に形成される。さらに、前記本体と前記ケース体とには、前記挿入位置にて、前記延出部が引き出されないように係合する挿入位置係合手段が設けられ、かつ、前記引出し位置にて、前記延出部がそれ以上抜け出さないよう係合する引出し位置係合手段が設けられる。この機能水生成装置によると、ケース体は、本体に挿入される延出部を備えており、その延出部の周面に、流路を通る水と反応する固形剤を挿入するための固形剤挿入口が設けられている。そして、ケース体は、本体に対し延出部が挿入される挿入位置と、延出部がその一部を残して引き出される引出し位置とに、移動可能に形成されている。ここで、挿入位置では、本体とケース体とに設けられた挿入位置係合手段の係合により、延出部は、その挿入位置に保持される。また、引出し位置では、延出部の周面に設けられた固形剤挿入口が露出し、この固形剤挿入口から固形剤収容部内に固形剤を挿入することができる。そして、本体とケース体には、引出し位置係合手段が設けられているため、引出し位置では、延出部は、それ以上抜け出さず、本体とケース体とは、一体の状態が保たれ、その一体の状態で、固形剤を挿入することができる。
【００１４】
また、請求項８に記載の発明に係る機能水生成装置は、請求項１ないし７のいずれか１項に記載の機能水生成装置において、前記固形剤収容部は、前記流路を形成する路壁の内側に、その路壁とは隙間を有するように配置されて、前記水は、前記固形剤収容部内を通る水と、前記隙間を通る水とに分かれて流れる。こうして、水が、固形剤収容部内を通る水と、隙間を通る水とに分かれて流れることで、固形剤収容部に収容される固形剤に接触する水の量が減る。このため、この固形剤が水と反応する度合いを抑えて、この固形剤を長持ちさせることができる。
【００１５】
また、請求項９に記載の発明に係る機能水生成装置は、請求項１ないし８のいずれか１項に記載の機能水生成装置において、前記機能水生成装置は、シャワーヘッドに備わる。
【発明の効果】
【００１６】
この発明に係る機能水生成装置によれば、上流側から下流側に向かって順に、塩素除去剤と、固形剤が収容される固形剤収容部と、旋回流形成体および／または絞り流路とを並べることで、塩素が除去され、かつ、収容された固形剤からの混入物が均一化された水を効果的に生成することが可能となる。
【図面の簡単な説明】
【００１７】
【図１】この発明の第一の実施の形態の、シャワーヘッドの断面図である。
【図２】同じく、第１構成体と第２構成体とを分離したときの断面図である。
【図３】同じく、第１構成体からカートリッジを取り出したときの断面図である。
【図４】同じく、図１におけるＡ−Ａ線による拡大断面図である。
【図５】同じく、旋回流形成体を示す図であり、（ａ）は、平面図、（ｂ）は、Ｂ−Ｂ線による断面図、（ｃ）は、底面図を示す。
【図６】同じく、図５（ａ）におけるＣ−Ｃ線による断面図である。
【図７】同じく、カートリッジ本体の正面図である。
【図８】同じく、カートリッジ本体の底面図である。
【図９】同じく、図７におけるＤ−Ｄ線による断面図である。
【図１０】同じく、図７におけるＥ−Ｅ線による断面図である。
【図１１】同じく、蓋部材の正面図である。
【図１２】同じく、蓋部材の底面図である。
【図１３】同じく、図１１におけるＦ−Ｆ線による断面図である。
【図１４】この発明の第二の実施の形態の、シャワーヘッドの、ケース体が挿入位置にて係合状態にある断面図である。
【図１５】同じく、図１４における要部拡大断面図である。
【図１６】同じく、ケース体が挿入位置にて非係合状態にある要部拡大断面図である。
【図１７】同じく、ケース体が引出し位置にある要部拡大断面図である。
【図１８】同じく、図１７におけるＧ−Ｇ線による断面図である。
【図１９】同じく、シャワーグリップの正面図である。
【図２０】同じく、シャワーグリップの平面図である。
【図２１】同じく、シャワーグリップの縦断面図である。
【図２２】同じく、図２１におけるＨ−Ｈ線による断面図である。
【図２３】同じく、ケースの縦断面図である。
【図２４】同じく、ケースの右側面図である。
【図２５】同じく、図２３におけるＩ−Ｉ線による断面図である。
【図２６】同じく、操作リングの縦断面図である。
【図２７】同じく、操作リングの底面図である。
【図２８】従来のノズルを示す断面図である。
【発明を実施するための形態】
【００１８】
以下、この発明に係る機能水生成装置を実施するための形態を図面に基づいて説明する。
【００１９】
図１〜図１３は、本発明の第一の実施の形態を示す。図中符号１は、水（湯も含む。以下同様。）から機能水を生成する機能水生成装置を示す。２は、前記水に含まれる塩素を除去する塩素除去剤を示す。３は、前記水と反応してその水に混入物を付与する固形剤（図示実施の形態においては、水と反応して前記混入物となる炭酸ガスのバブルを発生する固形発泡剤）を示す。
【００２０】
ここで、機能水生成装置１は、水が流れる流路４と、その流路４の上流側から下流側に向かって順に、前記塩素除去剤２と、前記固形剤３が収容される固形剤収容部５と、下流側に旋回流を形成する旋回流形成体１８、および／または、前記混入物を含む水の流れを絞る絞り流路１２ｂ（図示実施の形態においては、旋回流形成体１８および絞り流路１２ｂ）とを、備える。なお、図中符号Ｓで示す矢印の方向は、水の流れの方向を示す。
【００２１】
詳細には、機能水生成装置１は、内部が前記流路４を形成する、上流側の第１構成体７と下流側の第２構成体８とを備える。ここにおいて、第１構成体７と第２構成体８とは、互いに着脱可能に組み付けられて、内部に、互いに連通して前記流路４を構成する連通空間９を有する。そこで、連通空間９には、前記塩素除去剤２を有するとともに前記固形剤収容部５を備える浄水用のカートリッジ１０が、着脱可能に挿入される。そして、図２に示すように、第１構成体７と第２構成体８とを分離したとき、カートリッジ１０は、第１構成体７側に支持されて、固形剤収容部５に設けられる固形剤挿入口５ａ（つまり、固形剤収容部５に対し固形剤３を挿入するための挿入口）が露出する。
【００２２】
また、固形剤収容部５は、前記流路４を形成する路壁（図示実施の形態においては、後述する第２構成体本体８ａ）の内側に、その路壁とは隙間１１を有するように配置されて、前記水は、固形剤収容部５内を通る水と、隙間１１を通る水とに分かれて流れる。
【００２３】
具体的には、機能水生成装置１は、シャワーヘッド３１に備わる。すなわち、シャワーヘッド３１は、機能水生成装置１と、その機能水生成装置１の絞り流路１２ｂを通過した水が吐出する吐水部３１ａとを備えている。
【００２４】
第１構成体７は、シャワーヘッド３１におけるグリップ部３１ｂの下部側（上流側）を形成するものであって、筒状の第１構成体本体７ａと、その第１構成体本体７ａを取り囲む筒状の第１カバー体７ｂとを備える。ここで、第１構成体本体７ａの下端部７ｃは、第１カバー体７ｂから突出しており、その突出した下端部７ｃに、シャワーホース（図示せず）が接続される。また、第１構成体本体７ａの上端部の内周面には、第１ねじ部７ｄが形成される。
【００２５】
第２構成体８は、シャワーヘッド３１におけるグリップ部３１ｂの上部側（下流側）およびヘッド部３１ｃを形成するものであって、筒状の第２構成体本体８ａと、その第２構成体本体８ａを取り囲む筒状の第２カバー体８ｂとを備える。ここで、第２構成体本体８ａの下端部８ｃは、第２カバー体８ｂから突出しており、その突出した下端部８ｃの外周面には、第２ねじ部８ｄが形成される。そこで、この第２ねじ部８ｄと、第１構成体７における第１ねじ部７ｄとの螺合により、第１構成体７と第２構成体８とは、互いに着脱可能に組み付けられる。
【００２６】
また、第２構成体８は、第２カバー体８ｂの内部において、第２構成体本体８ａに続いて、連接筒体１２を備え、さらに、その連接筒体１２に続いて、ヘッド部インナー１３を備える。そこで、前記流路４が、第１構成体本体７ａと第２構成体本体８ａと連接筒体１２とヘッド部インナー１３の内部に形成される。そして、ヘッド部インナー１３の先端には、前述の吐水部３１ａとなる水板１４が、止めリング１５によって取り付けられる。なお、図中符号１６は、連接筒体１２を第２カバー体８ｂに止めるための止め具を示し（図１、図４参照）、１７は、ヘッド部インナー１３を第２カバー体８ｂに止めるためのビス等の固着具を示す（図１参照）。
【００２７】
連接筒体１２は、筒状に形成されて、上流側から下流側に向かって順に、入り口流路１２ａと、下流側に向かって絞られて形成された前述の絞り流路１２ｂと、径が一定ののど部１２ｃと、下流側に向かって漸次拡径する広がり流路１２ｄとを有する。そこで、前述の旋回流形成体１８が、連接筒体１２における、入り口流路１２ａの口元側に収容（図示実施の形態においては、着脱可能に収容）される。そして、旋回流形成体１８は、連接筒体１２の内周面との間に設けられるパッキン１９によって、回り止められ、後述する蓋部材２３により抜け止められる。
【００２８】
詳細には、この旋回流形成体１８は、図５および図６に示すように、第１貫通孔１８ａを有し、その第１貫通孔１８ａは、下流側に旋回流を形成するよう、旋回流形成体１８の中心部分を取り囲む位置において、上流側と下流側とを連通する（図示実施の形態においては、斜めに連通する）。さらに、旋回流形成体１８は、第２貫通孔１８ｂを有し、その第２貫通孔１８ｂは、旋回流の中心部分に水流を導くよう、旋回流形成体１８の中心部分において、上流側と下流側とを連通する。
【００２９】
より詳細には、旋回流形成体１８は、円盤状に形成されて、その表裏を貫通するように、前述の第１貫通孔１８ａおよび第２貫通孔１８ｂがあけられる。第１貫通孔１８ａは、旋回流形成体１８の中心部分を取り囲むように、複数（図示実施の形態においては、四つ）設けられ、平面視または底面視において（図５（ａ）または（ｃ）参照）、第２貫通孔１８ｂを中心として時計回り方向に進むように傾斜してあけられている。一方、第２貫通孔１８ｂは、旋回流形成体１８の中心部分を真っ直ぐ貫通するようにあけられている。そして、第２貫通孔１８ｂは、第１貫通孔１８ａよりもその径が小さく（詳しくは、断面積が小さく）形成される。なお、図中符号１８ｃは、旋回流形成体１８の表裏を識別するための識別表示を示し、図示実施の形態においては、突起状に形成されている。
【００３０】
カートリッジ１０は、カートリッジ本体２０と、例えば活性炭とか亜硫酸カルシウム等からなる前述の塩素除去剤２とを備える。
【００３１】
カートリッジ本体２０は、図７〜図１０に示すように、筒状に形成された塩素除去剤収容部２１と、筒状に形成された前述の固形剤収容部５とが、軸心を同一にして上流側から下流側に向かって並び、かつ、連結部２２によって連結されて形成される。塩素除去剤収容部２１は、塩素除去剤２を収容するものであって、その上流側端部（上流側の端面）に、水が流入するための第１開口部２１ａを有する。詳細には、塩素除去剤収容部２１は、その上流側端部に蓋２１ｂを有し、その蓋２１ｂに、前記第１開口部２１ａがあけられている。そして、塩素除去剤収容部２１は、その下流側端部（詳しくは、下流側の端面）に、水が流出するための第２開口部２１ｃを有する。また、固形剤収容部５は、その上流側端部（詳しくは、上流側端部の周面）に、水が流入するための第３開口部５ｂを有する。そして、固形剤収容部５は、その下流側端部が開口して形成され、その開口が、前述の固形剤挿入口５ａとなっている。そして、連結部２２は、断面十字形状に形成されて、塩素除去剤収容部２１の下流側端部と固形剤収容部５の上流側端部とを連結する。
【００３２】
また、固形剤収容部５の固形剤挿入口５ａは、蓋部材２３によって大半が塞がれる（図１参照）。この蓋部材２３は、図１１〜図１３に示すように、前記固形剤挿入口５ａを塞ぐ蓋本体２３ａと、その蓋本体２３ａから延びる複数の脚部２３ｂ、２３ｂとを備え、それら脚部２３ｂ、２３ｂの先端部分（詳しくは、その先端部分に設けられた係合爪２３ｃ）が、連接筒体１２における入り口流路１２ａの口元部分（詳しくは、その口元部分に設けられた係合凹部１２ｅ）に係合することで、その連接筒体１２に取り付けられる。そして、蓋本体２３ａは、外周面に溝２３ｄを有し、その溝２３ｄが、固形剤収容部５から水が流出するための第４開口部５ｃとなる。また、脚部２３ｂ、２３ｂ間は、固形剤収容部５内を通って第４開口部５ｃから流出した水と前述の隙間１１を通る水とが、連接筒体１２内に入る流入通路２３ｅとなっている。
【００３３】
次に、第一の実施の形態における機能水生成装置１の作用効果について説明する。この機能水生成装置１によると、固形剤収容部５には、水と反応してその水に混入物を付与する固形剤３が収容される。そこで、水は、流路４を流れる過程で、塩素除去剤２により塩素が除去され、固形剤３（図示実施の形態においては、固形発泡剤）と接して混入物（図示実施の形態においては、炭酸ガスのバブル）を含む水となる。そして、その混入物を含む水は、旋回流形成体１８（詳しくは、第１貫通孔１８ａ）によって形成される下流側の旋回流により、攪拌されることで、均一化され、また、混入物は、旋回流により、せん断されて、微細化される。また、機能水生成装置１は、絞り流路１２ｂを備えており、この絞り流路１２ｂにより、混入物を含む水の流れが絞られることによっても、その水は、均一化される。なお、旋回流形成体１８は、中心部分に、第２貫通孔１８ｂを有し、この第２貫通孔１８ｂにより、旋回流の中心部に水流が導かれる。これにより、旋回流と、その旋回流の中心部に導かれる水流とが、擦れ合い、混入物は、より細かくせん断される。
【００３４】
ここにおいて、この機能水生成装置１は、塩素除去剤２が、固形剤収容部５（つまり、固形剤３）よりも上流側に位置する。これにより、混入物を含む前の水が塩素除去剤２と接触することとなり、その水に含まれる塩素が効果的に除去される。こうして、この機能水生成装置１によれば、上流側から下流側に向かって順に、塩素除去剤２と、固形剤３が収容される固形剤収容部５と、旋回流形成体１８および／または絞り流路１２ｂ（図示実施の形態においては、旋回流形成体１８および絞り流路１２ｂ）とを並べることで、塩素が除去され、かつ、収容された固形剤３からの混入物が均一化された水を効果的に生成することが可能となる。
【００３５】
また、第１構成体７と第２構成体８とを分離したとき、固形剤収容部５における固形剤挿入口５ａが露出する。このため、その固形剤挿入口５ａから固形剤収容部５内に固形剤３を容易に挿入することができる（図２参照）。
【００３６】
また、固形剤収容部５は、流路４を形成する路壁（図示実施の形態においては、第２構成体本体８ａ）の内側に、その路壁とは隙間１１を有するように配置される。そこで、水が、固形剤収容部５内を通る水と、隙間１１を通る水とに分かれて流れ、これによって、固形剤収容部５に収容される固形剤３に接触する水の量が減る。このため、この固形剤３が水と反応する度合いを抑えて、この固形剤３を長持ちさせることができる。
【００３７】
図１４〜図２７は、本発明の第二の実施の形態を示す。この実施の形態は、第一の実施の形態とは、固形剤収容部５がカートリッジ１０から独立して設けられる点等が異なるが、基本となる構成は同様であり、以下に、同様の部位には同一の符号を付して、異なる部分を主に説明する。
【００３８】
この機能水生成装置１は、第一の実施の形態と同様に、流路４の上流側から下流側に向かって順に、塩素除去剤２と、固形剤３（詳しくは、水と反応して炭酸ガスのバブルを発生する固形発泡剤）が収容される固形剤収容部５と、旋回流形成体１８および／または絞り流路１２ｂ（図示実施の形態においては、旋回流形成体１８および絞り流路１２ｂ）とを、備えるが、流路４には、塩素除去剤２を有する浄水カートリッジ２４が、着脱可能に挿入され、固形剤収容部５は、浄水カートリッジ２４とは別体となって設けられる。なお、図中符号Ｓで示す矢印の方向は、水の流れの方向を示す。
【００３９】
詳細には、機能水生成装置１は、内部が前記流路４を構成する本体２５と、前記固形剤収容部５を有するケース体２６とを備える。そして、ケース体２６は、基部２６ａと、その基部２６ａから延出して本体２５に挿入される延出部２６ｂとを備える。そこで、この延出部２６ｂの周面に、固形剤収容部５に対し固形剤３を挿入するための固形剤挿入口５ａが設けられる。
【００４０】
さらに、ケース体２６は、本体２５に対し延出部２６ｂが挿入される挿入位置（図１４〜図１６参照）と、固形剤挿入口５ａが露出するとともに延出部２６ｂがその一部を残して引き出される引出し位置（図１７参照）とに、移動可能に形成される。そこで、本体２５とケース体２６とには、前記挿入位置にて、延出部２６ｂが引き出されないように係合する挿入位置係合手段Ｘ１が設けられる。そして、本体２５とケース体２６とには、前記引出し位置にて、延出部２６ｂがそれ以上抜け出さないよう係合する引出し位置係合手段Ｘ２が設けられる。
【００４１】
また、本体２５とケース体２６とのいずれか一方に、延出部２６ｂを本体２５に対して挿入引出しする軸心Ｐの方向に延びる案内部２７が設けられ、他方に、その案内部２７に係合して前記軸心Ｐの方向に案内される被案内部２８が設けられる。詳細には、案内部２７は、前記軸心Ｐの方向に延びる縦溝２７ａからなり、被案内部２８は、その縦溝２７ａに係合して前記軸心Ｐの方向に案内される突起２８ａからなる。そして、縦溝２７ａには、前記引出し位置にて突起２８ａが当接する溝壁２９が設けられ、これら溝壁２９とその溝壁２９に当接して係合する突起２８ａとで、前記引出し位置係合手段Ｘ２が構成される。
【００４２】
また、前記挿入位置係合手段Ｘ１は、挿入位置にて、軸心Ｐの回りに、ケース体２６を本体２５に対して回動することにより係合するものとなっている（図１６は、回動前を示し、図１５は、回動後を示す）。詳細には、本体２５とケース体２６との前記一方には、挿入位置にて（図１６参照）、前記軸心Ｐの回りにケース体２６を本体２５に対して回動したときに前記突起２８ａが縦溝２７ａから進入する、横溝３０ａが設けられる（図１５参照）。そこで、これら横溝３０ａとその横溝３０ａに係合する突起２８ａとで、前記挿入位置係合手段Ｘ１が構成される。
【００４３】
また、固形剤収容部５は、前記流路４を形成する路壁（図示実施の形態においては、本体２５）の内側に、その路壁とは隙間１１を有するように配置されて、水は、固形剤収容部５内を通る水と、隙間１１を通る水とに分かれて流れる。
【００４４】
具体的には、機能水生成装置１は、シャワーヘッド３１に備わる。すなわち、シャワーヘッド３１は、機能水生成装置１と、その機能水生成装置１の絞り流路１２ｂを通過した水が吐出する吐水部３１ａとを備える。
【００４５】
本体２５は、シャワーヘッド３１のグリップ部３１ｂ側を形成するシャワーグリップ３２およびグリップエンド３３と、ヘッド部３１ｃ側を形成するヘッド部材３４とを備える。ここで、シャワーグリップ３２とグリップエンド３３とは、螺合により、着脱可能に組み付けられる。そして、グリップ部３１ｂの下端部７ｃ（つまり、グリップエンド３３の下端部）には、シャワーホース（図示せず）が接続される。
【００４６】
また、本体２５は、ヘッド部材３４の内部において、シャワーグリップ３２に続いて、連接筒体１２を備える。そこで、前記流路４が、グリップエンド３３とシャワーグリップ３２と連接筒体１２とヘッド部材３４の内部に形成される。そして、ヘッド部材３４の先端には、前述の吐水部３１ａとなる水板１４が、止めリング１５によって取り付けられる。なお、図中符号１６は、第一の実施の形態と同様に、連接筒体１２をヘッド部材３４に止めるための止め具を示す。
【００４７】
連接筒体１２は、第一の実施の形態と同様に、筒状に形成されて、上流側から下流側に向かって順に、入り口流路１２ａと、下流側に向かって絞られて形成された絞り流路１２ｂと、径が一定ののど部１２ｃと、下流側に向かって漸次拡径する広がり流路１２ｄとを有する。そこで、第一の実施の形態と同様の旋回流形成体１８が、連接筒体１２における、入り口流路１２ａの口元側に収容（図示実施の形態においては、着脱可能に収容）される。そして、旋回流形成体１８は、連接筒体１２の内周面との間に設けられるパッキン１９によって、回り止められる。
【００４８】
浄水カートリッジ２４は、筒状の塩素除去剤収容部２１と、その塩素除去剤収容部２１に収容される例えば活性炭とか亜硫酸カルシウム等からなる前述の塩素除去剤２とを備える。塩素除去剤収容部２１は、その上流側端部に、水が流入するための第１開口部２１ａを有し、その下流側端部に、水が流出するための第２開口部２１ｃを有する。この浄水カートリッジ２４は、グリップ部３１ｂにおける上流側に収容されるが、シャワーグリップ３２からグリップエンド３３を取り外すことで、その浄水カートリッジ２４を交換することができる。
【００４９】
また、本体２５（詳しくは、シャワーグリップ３２）には、その長手方向と交差する方向（前記軸心Ｐの方向であって、図示実施の形態においては、長手方向と直交する方向）に延びる、案内壁２５ａが設けられている。そして、その案内壁２５ａの内周面には、奥側に進むようにして、前述した案内部２７としての縦溝２７ａが設けられ、その縦溝２７ａの奥側からは、横に進むようにして前述した横溝３０ａが設けられる。そして、縦溝２７ａの手前側には、その縦溝２７ａから起立するようにして前述した溝壁２９が設けられる。また、図示実施の形態においては、案内壁２５ａの外周面には、前記縦溝２７ａと同様に軸心Ｐの方向に延びる他の縦溝２７ｂと、その縦溝２７ｂが延びた先から横に進むようにして他の横溝３０ｂが設けられている（図１９、図２０参照）。
【００５０】
ケース体２６は、前記固形剤収容部５を有するケース３５と、操作リング３６と、固定部材３７と、キャップ３８とを備える。そこで、主に、ケース３５が、前記延出部２６ｂを構成し、操作リング３６と固定部材３７とキャップ３８とが、前記基部２６ａを構成する。ケース３５は、前記軸心Ｐを中心軸とする筒状に形成されるとともに、固形剤収容部５の側面に前記固形剤挿入口５ａが開口する。そして、操作リング３６は、延出部２６ｂを、本体２５に対して、挿入したり引き出したり、また、回動したりするときに、手で握って操作する部分であって、固定部材３７を用いて、ケース３５に固定される。そして、その固定部材３７を隠すようにキャップ３８が嵌め込まれる。
【００５１】
ケース体２６（詳しくは、ケース３５の外周面）には、前述した被案内部２８としての突起２８ａが設けられる。そして、ケース体２６（詳しくは、操作リング３６の内周面）には、他の突起２８ｂが設けられている（図２６、図２７参照）。この突起２８ｂは、延出部２６ｂを本体２５に挿入していき前記挿入位置に達する少し前から、前記他の縦溝２７ｂと係合する。そして、挿入位置にて、前記軸心Ｐの回りにケース体２６を本体２５に対して回動すると、他の突起２８ｂが他の縦溝２７ｂから他の横溝３０ｂに進入する（図１５参照）。こうして、これら他の横溝３０ｂとその横溝３０ｂに係合する他の突起２８ｂによっても、前記挿入位置係合手段Ｘ１が構成される。
【００５２】
また、この実施の形態においても、第一の実施の形態と同様に、固形剤収容部５は、流路４を形成する路壁の内側に、その路壁とは隙間１１を有するように配置されて、水は、固形剤収容部５内を通る水と、隙間１１を通る水とに分かれて流れる。なお、固形剤収容部５に対しては、水は、固形剤挿入口５ａから固形剤収容部５内に進入し、固形剤挿入口５ａから流路４へと流れ出る。
【００５３】
第二の実施の形態における機能水生成装置１の作用効果は、第一の実施の形態と同様であるが、機能水生成装置１が第１構成体７と第２構成体８とを備えるのではなく、本体２５とケース体２６とを備えて、そのケース体２６が、本体２５に挿入される延出部２６ｂを備えており、その延出部２６ｂの周面に、流路４を通る水と反応する固形剤３を挿入するための固形剤挿入口５ａが設けられている。そして、ケース体２６は、本体２５に対し延出部２６ｂが挿入される挿入位置と、延出部２６ｂがその一部を残して引き出される引出し位置とに、移動可能に形成されている。ここで、挿入位置では、本体２５とケース体２６とに設けられた挿入位置係合手段Ｘ１の係合により、延出部２６ｂは、その挿入位置に保持される。また、引出し位置では、延出部２６ｂの周面に設けられた固形剤挿入口５ａが露出し、この固形剤挿入口５ａから固形剤収容部５内に固形剤３を挿入することができる。そして、本体２５とケース体２６には、引出し位置係合手段Ｘ２が設けられているため、引出し位置では、延出部２６ｂは、それ以上抜け出さず、本体２５とケース体２６とは、一体の状態が保たれ、その一体の状態で、固形剤３を挿入することができる。
【００５４】
なお、本発明は、上述した実施の形態に限定されるわけではなく、その他種々の変更が可能である。例えば、機能水生成装置１は、シャワーヘッド３１に設けられなくとも、各種吐水管に設けられたり、台所用・洗面室用・浴室用等の水栓本体に設けられたり、また、給水路の途中に設けられたりするなど種々の給水設備に設けられてもよい。
【００５５】
また、第一の実施の形態において、第１構成体７と第２構成体８とは、螺合することで組み付けられるが、係合爪を設ける等、その他の手段により着脱可能に組み付けられてもよい。
【００５６】
また、第一の実施の形態において、塩素除去剤収容部２１と固形剤収容部５とは連結部２２によって連結されて形成されているが、これら、塩素除去剤収容部２１と固形剤収容部５とは、分離していてもよい。また、固形剤収容部５は、第２構成体本体８ａとは別に設けられてその第２構成体本体８ａ内に挿入されるが、固形剤収容部５を第２構成体本体８ａとは別に設けるのではなく、第２構成体本体８ａそのものを固形剤収容部として利用してもよい。
【００５７】
また、第二の実施の形態において、挿入位置係合手段Ｘ１は、横溝３０ａと突起２８ａとの組合せ、そして他の横溝３０ｂと他の突起２８ｂとの組合せからなるが、それら組合せの、いずれか一方のみからなっていてもよい。
【００５８】
また、旋回流形成体１８には、第２貫通孔１８ｂが設けられるが、この第２貫通孔１８ｂは無くともよい。
【００５９】
また、固形剤３は、水に混入物としての炭酸ガスのバブルを付与するもの、つまり水と反応して炭酸ガスのバブルを発生する固形発泡剤でなくとも、水と反応して水素のバブルとか酸素バブルとかを発生する固形発泡剤であってもよい。すなわち、混入物は、炭酸ガスのバブルでなくとも、水素のバブルとか酸素のバブルとかであってもよい。さらに、固形剤３は、粉末茶または茶葉を固めた固形剤からなって、水に混入物としての茶の粉末や茶の抽出物が付与されてもよい。
【００６０】
また、機能水生成装置１は、旋回流形成体１８および絞り流路１２ｂを備えるが、旋回流形成体１８または絞り流路１２ｂのいずれか一方のみを備えてもよい。
【符号の説明】
【００６１】
１  機能水生成装置
２  塩素除去剤
３  固形剤
４  流路
５  固形剤収容部
５ａ  固形剤挿入口
７  第１構成体
８  第２構成体
９  連通空間
１０  カートリッジ
１１  隙間
１２ｂ  絞り流路
１８  旋回流形成体
２４  浄水カートリッジ
２５  本体
２６  ケース体
２６ａ  基部
２６ｂ  延出部
Ｘ１  挿入位置係合手段
Ｘ２  引出し位置係合手段
３１  シャワーヘッド
【図１】
2016087599.tif 000003
【図２】
2016087599.tif 000004
【図３】
2016087599.tif 000005
【図４】
2016087599.tif 000006
【図５】
2016087599.tif 000007
【図６】
2016087599.tif 000008
【図７】
2016087599.tif 000009
【図８】
2016087599.tif 000010
【図９】
2016087599.tif 000011
【図１０】
2016087599.tif 000012
【図１１】
2016087599.tif 000013
【図１２】
2016087599.tif 000014
【図１３】
2016087599.tif 000015
【図１４】
2016087599.tif 000016
【図１５】
2016087599.tif 000017
【図１６】
2016087599.tif 000018
【図１７】
2016087599.tif 000019
【図１８】
2016087599.tif 000020
【図１９】
2016087599.tif 000021
【図２０】
2016087599.tif 000022
【図２１】
2016087599.tif 000023
【図２２】
2016087599.tif 000024
【図２３】
2016087599.tif 000025
【図２４】
2016087599.tif 000026
【図２５】
2016087599.tif 000027
【図２６】
2016087599.tif 000028
【図２７】
2016087599.tif 000029
【図２８】
2016087599.tif 000030